(57)【特許請求の範囲】
【請求項１】
表面側透明板とガラス製の裏面封止板との間に太陽電池が封入された太陽電池モジュールにおいて、
前記裏面封止板の面積は太陽電池の受光面積及び前記表面側透明板の面積よりも大きく、
前記裏面封止板の表面側に前記太陽電池及び前記表面側透明板のいずれもが存在しない余剰領域が存在し、
透光性を有する段差形成板を有し、前記段差形成板は一部が前記表面側透明板が存在する領域に重なり残部が前記表面側透明板からはみ出した状態で前記表面側透明板の表面側に設置されていることを特徴とする太陽電池モジュール。
【請求項２】
前記裏面封止板の面積は前記太陽電池の受光面積及び前記表面側透明板の面積の１．１倍以上４倍以下であり、余剰領域の面積が前記表面側透明板の面積の１０パーセント以上３００パーセント以下であることを特徴とする請求項１に記載の太陽電池モジュール。
【請求項３】
補助板を有し、当該補助板の面積は前記表面側透明板の面積よりも小さく、前記補助板は前記表面側透明板に隣接しかつ前記段差形成板が存在する領域に重なる状態で設置されることを特徴とする請求項１又は２に記載の太陽電池モジュール。
【請求項４】
前記裏面封止板の表面側に前記表面側透明板及び前記補助板が存在し、前記補助板の少なくとも一部は、前記余剰領域の全域に重なる状態で設置されていることを特徴とする請求項３に記載の太陽電池モジュール。
【請求項５】
前記補助板と前記裏面封止板にはそれぞれ貫通孔が設けられており、それらが連通して連通孔が設けられるものであって、当該連通孔に締結要素を挿入して太陽電池モジュールを外部部材に固定可能であることを特徴とする請求項３又は４に記載の太陽電池モジュール。
【請求項６】
前記表面側透明板はガラス板であり、前記表面側透明板の表面に粗面化された粗面化部位と、平滑さを保った平滑部位があり、前記粗面化部位は平面的に分布し、前記平滑部位は縦及び／又は横に向かって線状に延び、前記平滑部位によって前記粗面化部位が複数の四角形に区画されていることを特徴とする請求項１乃至５のいずれかに記載の太陽電池モジュール。
【請求項７】
請求項１乃至６のいずれかに記載の太陽電池モジュールが建屋の天面に敷設された屋根構造において、一つの太陽電池モジュールの余剰領域の上に、他の太陽電池モジュールの前記表面側透明板に相当する領域が重ねて設置されている屋根構造。
【請求項８】
防水性を有して一定形状に成形された屋根材と、前記太陽電池モジュールとが併用されており、前記屋根材が敷設されていて前記太陽電池モジュールが敷設されていない領域と、前記太陽電池モジュールが敷設されていて前記屋根材が敷設されていない領域があることを特徴とする請求項７に記載の屋根構造。
【請求項９】
表面側透明板と裏面封止板との間に太陽電池が封入された太陽電池モジュールにおいて、前記裏面封止板の面積は前記太陽電池の受光面積及び前記表面側透明板の面積よりも大きく、透光性を有する段差形成板を有し、当該段差形成板の面積は前記表面側透明板の面積よりも小さく、前記段差形成板は一部が前記表面側透明板が存在する領域に重なり残部が前記表面側透明板からはみ出した状態で前記表面側透明板の表面側に設置されていることを特徴とする太陽電池モジュール。
【請求項１０】
前記表面側透明板及び前記段差形成板は共に四角形であり、前記段差形成板と前記表面側透明板とが重なった部分の面積は、前記表面側透明板の表面積の略整数分の１となること特徴とする請求項９に記載の太陽電池モジュール。
【請求項１１】
請求項９又は１０に記載の太陽電池モジュールが建屋の天面に敷設された屋根構造において、
一つの太陽電池モジュールの段差形成板上に、他の太陽電池モジュールの前記表面側透明板に相当する領域をずらした状態で重ねて設置されていることを特徴とする屋根構造。
【請求項１２】
防水性を有して一定形状に成形された屋根材が敷設されていて太陽電池モジュールが敷設されていない領域と、太陽電池モジュールが敷設されていて前記屋根材が敷設されていない領域があることを特徴とする請求項１１に記載の屋根構造。
【請求項１３】
表面側透明板と裏面封止板との間に太陽電池が封入された太陽電池モジュールにおいて、前記裏面封止板の面積は前記太陽電池の受光面積及び前記表面側透明板の面積よりも大きく、補助板を有し、当該補助板の面積は前記表面側透明板の面積よりも小さく、前記補助板は前記表面側透明板に隣接する領域に設置され、前記裏面封止板の表面側に前記表面側透明板及び前記補助板が存在し、前記補助板と前記裏面封止板にはそれぞれ貫通孔が設けられており、それらが連通して連通孔が設けられるものであって、当該連通孔に締結要素を挿入して太陽電池モジュールを外部部材に固定可能であり、
透光性を有する段差形成板を有し、前記段差形成板は一部が前記表面側透明板と重なり、前記補助板が前記段差形成板が存在する領域に重なる状態で設置されていることを特徴とする太陽電池モジュール。
【請求項１４】
前記連通孔の内部に緩衝材が設けられていることを特徴とする請求項１３に記載の太陽電池モジュール。
【請求項１５】
複数の前記連通孔が列状に設けられ、端子箱を有し、当該端子箱は裏面封止板側に突出し、前記端子箱の位置は、前記連通孔が列状に設けられた領域から一定の距離だけ表面側透明板側に離れた位置にあることを特徴とする請求項１３又は１４に記載の太陽電池モジュール。
【請求項１６】
請求項１５に記載の太陽電池モジュールが建屋の天面に敷設された屋根構造において、
建屋の天面には平行に桟が設けられ、太陽電池モジュールは前記桟の上に載置されていると共に、締結要素が前記連通孔から突出して前記桟に接合されて太陽電池モジュールが前記桟に固定され、前記端子箱は平行に設けられた桟同士の隙間に配されていることを特徴とする屋根構造。
【発明の詳細な説明】
【技術分野】
【０００１】
本発明は、太陽電池モジュールに関するものであり、より詳細には、屋根上に設置した場合に周囲の屋根材との一体感を出すことが可能な太陽電池モジュールに関するものである。また、そのような太陽電池モジュールを敷設して形成される屋根構造に関するものである。
【背景技術】
【０００２】
太陽光を受けて発電を行う太陽光発電システムが広く普及しており、一般家庭においても導入が進んでいる。このような太陽光発電システムでは、通常、屋根上に配設した太陽電池モジュールによって発電を実施し、電力を供給する構造となっている。
【０００３】
ここで、屋根上に太陽電池モジュールを載置すると、屋根の外観が変化し、それに伴って住宅の印象が変わってしまうという問題がある。例えば、太陽電池モジュールの色と周囲の屋根材の色を比べたとき、明度や彩度が大きく異なる場合には、太陽電池モジュールが目立って見えてしまう。また、太陽電池モジュールとその下側に位置する屋根材の間に大きな隙間が形成される場合には、太陽電池モジュールが浮いているように見え、やはり太陽電池モジュールが目立って見えてしまう。
これらの場合、屋根全体で一体感のある外観美を作り出すことができないので、屋根を眺める人によっては、その外観を不格好と感じる人もいる。
【０００４】
そこで、そのような問題を解決するための技術として、例えば、特許文献１に開示された技術が知られている。
【０００５】
特許文献１に開示されている太陽電池モジュールは、屋根下地上にパイプ状の取付用部材を固定し、この取付用部材に太陽電池モジュールの裏面側に設けた環状部材を挿通することで、屋根下地上に太陽電池モジュールを一体に固定している。すなわち、瓦等の屋根材の替わりに太陽電池モジュールを配置する構成となっている。
そして、太陽電池モジュールの棟側部分には、上段側の太陽電池モジュールの軒側部分を載置するための領域を設けており、太陽電池モジュール同士が一部重なった状態で敷設される構造となっている。つまり、階段状に並列する太陽電池モジュールの段差部分に隙間が形成されない構造となっている。
【０００６】
このように、屋根材の替わりに太陽電池モジュールを屋根上に隙間なく敷き詰めていく構造によると、太陽電池モジュールとその下側に位置する屋根材の間に隙間が形成されることがなく、外観が美しく見える。
【先行技術文献】
【特許文献】
【０００７】
【特許文献１】特開平０７−０２６６６４号公報
【発明の概要】
【発明が解決しようとする課題】
【０００８】
しかしながら、特許文献１の技術では、屋根の全体に太陽電池モジュールを敷き詰める場合は問題ないが、屋根上に屋根材と太陽電池モジュールを併存させる場合には、太陽電池モジュールが目立ってしまう可能性がある。すなわち、上記したように、屋根材と太陽電池モジュールの色合いの違いから、屋根上の太陽電池モジュールを敷設した部分が目立ってしまう可能性がある。
【０００９】
また、特許文献１の技術では、太陽電池モジュールの裏面側に取付用部材が位置するので、取付用部材が見え難い位置にある。すなわち、取付用金具やフレーム部材が太陽電池モジュールの縁部分に位置するような構造に比べて、取付用部材が目立ちにくくなっている。しかしながら、特許文献１に開示された構造では、軒側端部側や棟側端部側において、太陽電池モジュールと屋根下地の間に形成される隙間から、取付用部材の部材が一部露出してしまう可能性がある。通常は、このような隙間を覆うために、軒側端部側と棟側端部側にそれぞれ軒先金具や雨仕舞板等を取り付けるものであるが、この場合、軒先金具そのものや雨仕舞板そのものが屋根上で際立って見えてしまうという新たな問題が生じてしまう。
つまり、特許文献１に開示されている技術は、屋根の外観を美しくする上で改善の余地がある。
【００１０】
そこで本発明は、上記した従来技術の問題点に鑑み、周囲の屋根材との間でより一体感を出すことが可能であり、屋根全体の外観をさらに美しくすることが可能な太陽電池モジュールを提供することを課題とする。
また、そのような太陽電池モジュールを敷設して形成される美しい外観の屋根構造を提供することを課題とする。
【課題を解決するための手段】
【００１１】
上記課題を解決するための本発明の一つの様相は、表面側透明板とガラス製の裏面封止板との間に太陽電池が封入された太陽電池モジュールにおいて、前記裏面封止板の面積は太陽電池の受光面積及び前記表面側透明板の面積よりも大きく、前記裏面封止板の表面側に前記太陽電池及び前記表面側透明板のいずれもが存在しない余剰領域が存在し、透光性を有する段差形成板を有し、前記段差形成板は一部が前記表面側透明板が存在する領域に重なり残部が前記表面側透明板からはみ出した状態で前記表面側透明板の表面側に設置されていることを特徴とする太陽電池モジュールである。
【００１２】
本様相の太陽電池モジュールは、太陽電池の裏面側を封止するためのガラス板である裏面封止板が太陽電池の受光面積及び表面側透明板の面積よりも大きくなっている。すなわち、通常よりも裏面封止板の大きさを大きくし、その表面側に太陽電池及び表面側透明板のいずれもが存在しない余剰領域を形成している。
このように、余剰領域を設けることで、余剰領域をネジ、釘等を直接打ち込んだりするための領域とすることができる。すなわち、フレームや固定用の金具等の取付用部材を使用することなく、太陽電池モジュールを屋根上に直接固定することが可能となる。言い換えると、取付用部材を必要としないので、屋根上で取付用部材が目立ってしまうことがなく、美しい外観の屋根を提供することが可能となる。
【００１３】
また、このように取付用部材を屋根上に固定する必要がないことから、太陽電池モジュールの取り付け作業を簡易化可能であるという利点もある。
【００１４】
さらにまた、太陽電池及び表面側透明板のいずれもが存在しない裏面封止板の余剰領域を、隣接する太陽電池モジュールや屋根材の下方側に配することが可能となる。このようにすると、太陽電池モジュールや屋根材との隙間から下方側に雨水等が浸入したとしても、これらの下方側に位置する裏面封止板の余剰領域で受け止めることが可能となる。すなわち、雨漏りの発生をより確実に防止可能となる。
【００１５】
本様相は、前記裏面封止板の面積は前記太陽電池の受光面積及び前記表面側透明板の面積の１．１倍以上４倍以下であり、余剰領域の面積が前記表面側透明板の面積の１０パーセント以上３００パーセント以下であることが好ましい。
【００１６】
本様相は、透光性を有する段差形成板を有し、前記段差形成板は一部が前記表面側透明板が存在する領域に重なり残部が前記表面側透明板からはみ出した状態で前記表面側透明板の表面側に設置されている。
【００１７】
本様相によると、太陽電池の表面側に位置する表面側透明板と、透光性を有する段差形成板とが重なっており、これらの間に段差が形成されることとなる。すなわち、太陽電池の採光面である表面側透明板の上側に段差が形成されることとなる。
ここで、屋根上に屋根材を敷き詰めていくとき、桁行方向で隣接する屋根材の重なり部分には、一般的に、段差が形成されることとなる。
つまり、太陽電池モジュールの露出部分に屋根材の重なり部分に形成されているような段差を形成することで、太陽電池モジュールと屋根材とを併存させた際に、太陽電池モジュールが位置する部分と屋根材が位置する部分の見分けがつきにくい状態としている。このことにより、太陽電池モジュールと周囲の屋根材との間でより一体感のある屋根の提供が可能となる。
【００１８】
好ましくは、補助板を有し、当該補助板の面積は前記表面側透明板の面積よりも小さく、前記補助板は前記表面側透明板に隣接しかつ前記段差形成板が存在する領域に重なる状態で設置される。
【００１９】
この好ましい様相によると、段差形成板の姿勢を安定させることが可能となる。
【００２０】
より好ましくは、前記裏面封止板の表面側に前記表面側透明板及び前記補助板が存在し、前記補助板の少なくとも一部は、前記余剰領域の全域に重なる状態で設置されている。
【００２１】
この好ましい様相では、ネジ、釘等を直接打ち込むために使用する余剰領域に補助板を配している。そのため、ネジ、釘等を打ち込む際の固定強度の向上を図ることが可能となる。
【００２２】
さらに好ましくは、前記補助板と前記裏面封止板にはそれぞれ貫通孔が設けられており、それらが連通して連通孔が設けられるものであって、当該連通孔に締結要素を挿入して太陽電池モジュールを外部部材に固定可能である。
【００２３】
この好ましい様相では、締結要素を挿通する部分に補助板を配しているので、固定強度の向上が可能となる。
【００２４】
また、前記表面側透明板はガラス板であり、前記表面側透明板の表面に粗面化された粗面化部位と、平滑さを保った平滑部位があり、前記粗面化部位は平面的に分布し、前記平滑部位は縦及び／又は横に向かって線状に延び、前記平滑部位によって前記粗面化部位が複数の四角形に区画されていることが好ましい。
【００２５】
この好ましい様相によると、太陽電池の上側に位置する表面側透明板の表面を、あたかも屋根材の表面のような質感にすることが可能となる。すなわち、表面側透明板と屋根材の表面における色や表面粗さを非常に似通った状態とすることができる。
このことから、太陽電池モジュールと屋根材とを併存させた際、太陽電池モジュールが位置する部分と屋根材が位置する部分の見分けがつきにくい状態にできるので、屋根全体の一体感を向上させることが可能となる。
【００２６】
本発明の他の様相は、上記した太陽電池モジュールが建屋の天面に敷設された屋根構造において、一つの太陽電池モジュールの余剰領域の上に、他の太陽電池モジュールの前記表面側透明板に相当する領域が重ねて設置されている屋根構造である。
【００２７】
本様相においても、取付用部材が目立つことのない美しい外観の屋根を提供可能であり、雨漏りの発生をより確実に防止できる。
【００２８】
本様相は、防水性を有して一定形状に成形された屋根材と、前記太陽電池モジュールとが併用されており、前記屋根材が敷設されていて前記太陽電池モジュールが敷設されていない領域と、前記太陽電池モジュールが敷設されていて前記屋根材が敷設されていない領域があることが好ましい。
【００２９】
本発明の参考発明は、ガラス製の表面側透明板の裏面に太陽電池が封入された太陽電池モジュールにおいて、前記表面側透明板の表面に、粗面化された粗面化部位と、平滑さを保った平滑部位があり、前記粗面化部位は平面的に分布し、前記平滑部位は縦及び／又は横に向かって線状に延び、前記平滑部位によって前記粗面化部位が複数の四角形に区画されていることを特徴とする太陽電池モジュールである。
【００３０】
本発明の他の参考発明は、防水性を有して一定形状に成形された屋根材と、上記した太陽電池モジュールとが併用された屋根構造であって、前記屋根材が敷設されていて前記太陽電池モジュールが敷設されていない屋根材敷設領域と、前記太陽電池モジュールが敷設されていて前記屋根材が敷設されていないモジュール敷設領域があり、屋根材敷設領域は、前記屋根材の一部を他の屋根材に重ね、残部を露出させた状態で敷設されており、前記太陽電池モジュールは、前記複数の四角形に区画された部分が、前記屋根材敷設領域における個々の前記屋根材の露出部分の形状と同じであることを特徴とする屋根構造である。
【００３１】
これらの参考発明は、太陽電池モジュールと屋根材とを併存させた際、太陽電池モジュールが位置する部分と屋根材が位置する部分の見分けがつきにくい状態にすることが可能であり、屋根全体の一体感を向上させることが可能となる。
【００３２】
本発明の他の様相は、表面側透明板と裏面封止板との間に太陽電池が封入された太陽電池モジュールにおいて、前記裏面封止板の面積は前記太陽電池の受光面積及び前記表面側透明板の面積よりも大きく、透光性を有する段差形成板を有し、当該段差形成板の面積は前記表面側透明板の面積よりも小さく、前記段差形成板は一部が前記表面側透明板が存在する領域に重なり残部が前記表面側透明板からはみ出した状態で前記表面側透明板の表面側に設置されていることを特徴とする太陽電池モジュールである。
【００３３】
好ましくは、前記表面側透明板及び前記段差形成板は共に四角形であり、前記段差形成板と前記表面側透明板とが重なった部分の面積は、前記表面側透明板の表面積の略整数分の１となる。
【００３４】
本発明の他の様相は、上記した太陽電池モジュールが建屋の天面に敷設された屋根構造において、一つの太陽電池モジュールの段差形成板上に、他の太陽電池モジュールの前記表面側透明板に相当する領域をずらした状態で重ねて設置されていることを特徴とする屋根構造である。
【００３５】
本様相は、防水性を有して一定形状に成形された屋根材が敷設されていて太陽電池モジュールが敷設されていない領域と、太陽電池モジュールが敷設されていて前記屋根材が敷設されていない領域があることが好ましい。
【００３６】
これらの様相においても、太陽電池モジュールの露出部分に屋根材の重なり部分に形成されているような段差を形成することにより、太陽電池モジュールと屋根材とを併存させた際に、太陽電池モジュールが位置する部分と屋根材が位置する部分の見分けがつきにくい状態とすることができる。このため、太陽電池モジュールと周囲の屋根材との間でより一体感のある屋根の提供が可能となる。
【００３７】
本発明の他の様相は、表面側透明板と裏面封止板との間に太陽電池が封入された太陽電池モジュールにおいて、前記裏面封止板の面積は前記太陽電池の受光面積及び前記表面側透明板の面積よりも大きく、補助板を有し、当該補助板の面積は前記表面側透明板の面積よりも小さく、前記補助板は前記表面側透明板に隣接する領域に設置され、前記裏面封止板の表面側に前記表面側透明板及び前記補助板が存在し、前記補助板と前記裏面封止板にはそれぞれ貫通孔が設けられており、それらが連通して連通孔が設けられるものであって、当該連通孔に締結要素を挿入して太陽電池モジュールを外部部材に固定可能であり、透光性を有する段差形成板を有し、前記段差形成板は一部が前記表面側透明板と重なり、前記補助板が前記段差形成板が存在する領域に重なる状態で設置されていることを特徴とする太陽電池モジュールである。
【００３８】
本様相では、裏面封止板の表面側に補助板を配し、これらが重なる部分を形成することで、この部分をネジ、釘等を直接打ち込んだりするための部分とすることができる。すなわち、本様相でも、フレームや固定用の金具等の取付用部材を使用することなく、太陽電池モジュールを屋根上に直接固定することが可能となる。このことにより、屋根上で取付用部材が目立ってしまうことがなく、美しい外観の屋根を提供することが可能となる。
さらに、本様相では、補助板と裏面封止板にそれぞれ貫通孔を形成し、これら貫通孔が連続して形成される連通孔に締結要素を挿入して、太陽電池モジュールを固定する構造となっている。つまり、締結要素を挿通する連通孔がある部分に補助板を位置する構造となっている。このことにより、固定強度の向上が可能となる。
【００３９】
本様相は、透光性を有する段差形成板を有し、前記段差形成板は一部が前記表面側透明板と重なり、前記補助板が前記段差形成板が存在する領域に重なる状態で設置されている。
【００４０】
本様相では、太陽電池の表面側に位置する表面側透明板と重なる段差形成板が設けられている。このことから、太陽電池モジュールの露出部分に、屋根材の重なり部分に形成されているような段差を形成することができるので、太陽電池モジュールと屋根材とを併存させた場合に、太陽電池モジュールが位置する部分と屋根材が位置する部分を見分けにくくすることが可能となる。すなわち、屋根全体の一体感を向上させることができる。
また、段差形成板と重なる位置に補助板を配することにより、段差形成板の姿勢を安定させることが可能となる。すなわち、太陽電池モジュールの強度向上を図ることができる。
【００４１】
本様相は、前記連通孔の内部に緩衝材が設けられていることが好ましい。
【００４２】
本様相によると、締結要素を連通孔に挿通した際に、締結要素と連通孔の内周面の接触を防止することが可能であり、連通孔の内周面の損傷を防止できる。
【００４３】
また、本様相は、複数の前記連通孔が列状に設けられ、端子箱を有し、当該端子箱は裏面封止板側に突出し、前記端子箱の位置は、前記連通孔が列状に設けられた領域から一定の距離だけ表面側透明板側に離れた位置にあることが好ましい。
【００４４】
本様相では、連通孔に締結要素を挿通する際に、誤って端子箱を傷つけてしまうことがなく、好ましい。
【００４５】
本発明の他の様相は、上記した太陽電池モジュールが建屋の天面に敷設された屋根構造において、建屋の天面には平行に桟が設けられ、太陽電池モジュールは前記桟の上に載置されていると共に、締結要素が前記連通孔から突出して前記桟に接合されて太陽電池モジュールが前記桟に固定され、前記端子箱は平行に設けられた桟同士の隙間に配されていることを特徴とする屋根構造である。
【００４６】
本様相によると、太陽電池モジュールを桟の上に配置する際、端子箱を桟と桟の間に形成される空間に収めることで、太陽電池モジュール全体の表面の高さを低く抑えることができる。つまり、桟の上側に端子箱が位置するような構造に比べ、太陽電池モジュールの表面を低くすることが可能となり、見る人に厚ぼったい印象を与えることの無い美しい外観の屋根を提供することが可能となる。
【発明の効果】
【００４７】
本発明によると、太陽電池モジュールと周囲の屋根材との間でより一体感を出すことが可能であり、屋根全体の外観をさらに美しくすることが可能となる。
【図面の簡単な説明】
【００４８】
【図１】本発明の第１実施形態に係る屋根構造を示す斜視図である。
【図２】図１のスレート瓦を示す斜視図である。
【図３】図１の太陽電池モジュールを示す斜視図である。
【図４】図３の太陽電池モジュールを示す分解斜視図であり、ＥＶＡシートを省略して示す。
【図５】図４のブッシング部材を示す図であり、（ａ）は正面図、（ｂ）は断面図である。
【図６】太陽電池モジュールの組み立て手順を示す説明図であり、背面ガラスにシール部材を取り付ける様子を示す。
【図７】太陽電池モジュールの組み立て手順を示す説明図であり、図６の背面ガラスに対してＥＶＡシート、カバーガラス、位置調整ガラスを積層していく様子を示す。
【図８】太陽電池モジュールの組み立て手順を示す説明図であり、図７に続いて、端子ボックスを取り付け、ＥＶＡシート、化粧ガラスを積層していく様子を示す。
【図９】ＥＶＡシート、化粧ガラスを積層していく際のブッシング部材周辺を示す断面図であり、（ａ）はＥＶＡシートと化粧ガラスの積層前を示し、（ａ）はＥＶＡシートと化粧ガラスの積層後を示す。
【図１０】太陽電池モジュールの組み立て手順を示す説明図であり、背面ガラスにカバーガラス、位置調整ガラスが積層され、さらにその上に化粧ガラスが積層された状態を示す。
【図１１】太陽電池モジュールの組み立て手順を示す説明図であり、図１０の状態からマスキングテープを貼りつけていく様子を示す。
【図１２】図１０で示される積層体に対してマスキングテープを貼りつけた状態を示す模式図である。
【図１３】本実施形態の屋根構造の施工手順を示す斜視図であり、軒側第１段目のスレート瓦を取り付けた状態を示す。
【図１４】図１３に続いて、軒側第２段目のスレート瓦と太陽電池モジュールを取り付けていく様子を示す斜視図である。
【図１５】図１４で示される状態の屋根構造を示すＢ−Ｂ断面図である。
【図１６】太陽電池モジュールを母屋部材に対して固定する際のブッシング部材周辺を示す断面図であり、（ａ）は締結要素の挿通前を示し、（ｂ）は締結要素の挿通後を示す。
【図１７】図１４に続いて、軒側第３段目のスレート瓦と上段側の太陽電池モジュールを取り付けていく様子を示す斜視図である。
【図１８】図１７で示される状態の屋根構造のＣ−Ｃ断面のうちで要部のみを拡大して示す断面図である。
【図１９】図１のＡ部分を拡大して示す斜視図である。
【図２０】図３とは異なる形態の太陽電池モジュールを示す斜視図である。
【図２１】図３、図２０とは異なる形態の太陽電池モジュールを取り付けて形成される屋根構造を示す断面図である。
【発明を実施するための形態】
【００４９】
以下、本発明の第１実施形態に係る屋根構造１について図面を参照しつつ詳細に説明する。なお、以下の説明において、前後方向、上下方向、並びに左右方向は、特に断りのない限り図１で示される通常の設置状態を基準として説明する。
【００５０】
本実施形態の屋根構造１は、図１で示されるように、桁行方向（軒先から棟側へ向かう方向）で所定間隔を空けて並列配置される複数の母屋部材２（桟、外部部材）に対し、スレート瓦３（屋根材）及び太陽電池モジュール４を固定して形成されたものである。
【００５１】
母屋部材２は、角柱状の木製部材であり、梁間方向（桁行方向と直交する方向）に延びている。そして、所定の間隔を空けて並列する母屋部材２のそれぞれは、図示しない棟木や軒桁と互いに平行となるように配置されている。すなわち、母屋部材２は、建屋の屋根部分（天面）に複数取り付けられ、互いに平行となるように並列している。
【００５２】
スレート瓦３は、切り出した天然石を成形して形成される、又は同一形状で人工的に合成される略長方形平板状の部材である。このスレート瓦３は、図２で示されるように、幅Ｌ１に比べて桁行方向の長さＬ２が長くなっており、より詳細には、幅Ｌ１が２５０ｍｍ、桁行方向の長さＬ２が５００ｍｍ、厚さが４ｍｍ程度となっており、桁行方向の長さＬ２は幅Ｌ１の略２倍程度の長さとなっている。
【００５３】
このスレート瓦３には、スレート瓦３そのものを厚さ方向に貫通する取付用孔８が形成されている。取付用孔８は、桁行方向の中心よりも棟側に位置する部分であって、幅方向（梁間方向）の端部からやや中心側に位置する部分に形成されている。本実施形態では、幅方向の両端部それぞれの近傍に１つずつ、合計２つの取付用孔８が設けられており、この２つの取付用孔８が幅方向で間隔を空けて並列した状態となっている。換言すると、本実施形態のスレート瓦３では、複数の取付用孔８が幅方向で並列するように形成されている。
【００５４】
太陽電池モジュール４は、図３、図４で示されるように、背面ガラス１３（裏面封止板）と、背面ガラス１３で裏面側を封止することで形成される太陽電池部１４と、位置調整ガラス１５（補助板）とを備えている。そして、太陽電池部１４及び位置調整ガラス１５の上側に、化粧ガラス１６（段差形成板）を固定して形成されるものである。
【００５５】
背面ガラス１３は、外形が略長方形平板状となるガラス製の部材であり、太陽電池部１４の裏面側を封止する封止材として機能する部材である。ここで、図４で示されるように、背面ガラス１３の表面のうちで軒側に位置する大部分の領域が、太陽電池部１４を裏面側から封止するための太陽電池封止領域２０となっている。
【００５６】
より具体的に説明すると、この背面ガラス１３は、軒側に位置する太陽電池封止領域２０と、棟側に位置する外側領域２１（余剰領域）とに区画されている。
【００５７】
太陽電池封止領域２０は、背面ガラス１３の表面のうち大半を占める部分であり、軒側端部から、棟側端部よりもやや桁行方向の中心よりの位置に至るまでの部分である。より詳細には、当該部分の幅方向全域（梁間方向全域）が太陽電池封止領域２０に該当する。換言すると、背面ガラス１３の幅方向（梁間方向）の長さと、太陽電池封止領域２０の幅方向（梁間方向）の長さとは同じ長さとなっている。
【００５８】
外側領域２１は、背面ガラス１３の表面のうち、太陽電池封止領域２０の棟側端部から背面ガラス１３の棟側端部に至るまでの部分である。より詳細には、当該部分の幅方向全域（梁間方向全域）が外側領域２１に該当する。換言すると、背面ガラス１３の幅方向（梁間方向）の長さと、外側領域２１の幅方向（梁間方向）の長さとは同じ長さとなっている。
【００５９】
太陽電池封止領域２０の桁行方向の長さＬ３は、外側領域２１の桁行方向の長さＬ４のよりも長くなっている。より具体的には、太陽電池封止領域２０の桁行方向の長さＬ３は、背面ガラス１３の桁行方向の長さ（Ｌ３＋Ｌ４）の８６パーセント程度の長さとなっており、外側領域２１の面積は、太陽電池封止領域２０の面積の１７パーセント程度の面積となっている。
【００６０】
ここで、太陽電池封止領域２０には、リード線挿通孔２３が設けられており、外側領域２１には、締結要素挿通孔２４（貫通孔）が設けられている。このリード線挿通孔２３と、締結要素挿通孔２４とは、いずれも背面ガラス１３を厚さ方向に貫通する貫通孔である。
【００６１】
リード線挿通孔２３は、太陽電池部１４から外部に延びるケーブル（図示しない）を挿通するための孔である。このリード線挿通孔２３は、太陽電池封止領域２０の棟側端部よりもやや下方側であって、幅方向の中心近傍に形成されている。
【００６２】
締結要素挿通孔２４は、締結要素（詳しくは後述する）を挿通するための孔であり、外側領域２１の軒側端部よりやや棟側に形成されている。より詳細に説明すると、外側領域２１には、桁行方向における位置が同一となる３つの締結要素挿通孔２４が形成されている。そして、３つの締結要素挿通孔２４は、幅方向で所定の間隔を空けて並列した状態となっている。３つの締結要素挿通孔２４のうちの１つは、背面ガラス１３の幅方向の中心（又は中心近傍）に形成されている。また、他の２つは、背面ガラス１３の幅方向における片側端部からやや中心側に離れた位置と、幅方向における他方端部からやや中心側に離れた位置にそれぞれ形成されている。これらはいずれも開口形状が円形となる貫通孔となっている。
【００６３】
太陽電池部１４では、設置時に最も上側に位置するカバーガラス２８（表面側透明板）の裏面側に導電膜や半導体膜を積層し、これを分割することにより複数の太陽電池セル３１（太陽電池）を形成している。複数の太陽電池セル３１は電気的に直列接続された状態になっている。複数の太陽電池セル３１が形成されたカバーガラス２８は、さらにその裏面側を背面ガラス１３の一部である太陽電池封止領域２０で封止されている。また、この太陽電池部１４は、後述する端子ボックス５２（端子箱）と接続されており、発電した電力を外部に取り出し可能となっている。
【００６４】
すなわち、太陽電池部１４では、カバーガラス２８の表面（上面）が受光面となり、カバーガラス２８を透過した光が太陽電池セル３１に到達し、発電が行われる構造となっている。なお、カバーガラス２８は、略長方形平板状の部材であり、平面視した形状が略四角形状となる部材である。
【００６５】
そして、太陽電池部１４及びカバーガラス２８の幅方向（梁間方向）の長さは、背面ガラス１３の幅方向（梁間方向）の長さと同一の長さとなっている。そして、カバーガラス２８の表面は、軒側に位置する露出領域３４と、棟側に位置する透過光受光領域３５とに区画されている。
【００６６】
露出領域３４は、カバーガラス２８の表面のうち、軒側端部から桁行方向の中心近傍に至るまでの部分である。より詳細には、当該部分の幅方向全域（梁間方向全域）が露出領域３４に該当する。換言すると、カバーガラス２８の幅方向（梁間方向）の長さと、露出領域３４の幅方向（梁間方向）の長さとは同じ長さとなっている。
ここで、露出領域３４には表面処理が施されており、その外観がスレート瓦３の外観と極めて似通った状態となっている。この表面処理については、詳しくは後述する。
【００６７】
透過光受光領域３５は、カバーガラス２８の表面のうち、露出領域３４の棟側端部からカバーガラス２８の棟側端部に至るまでの部分である。より詳細には、当該部分の幅方向全域（梁間方向全域）が透過光受光領域３５に該当する。換言すると、カバーガラス２８の幅方向（梁間方向）の長さと、透過光受光領域３５の幅方向（梁間方向）の長さとは同じ長さとなっている。
【００６８】
位置調整ガラス１５は、太陽電池部１４と隣接する位置に配され、その外形が略長方形平板状となるガラス製の部材である。つまり、位置調整ガラス１５は、透光性を有する部材となっている。この位置調整ガラス１５の幅方向（梁間方向）の長さは、背面ガラス１３の幅方向（梁間方向）の長さと同一となっている。
位置調整ガラス１５には、締結要素挿通孔４０（貫通孔）が設けられている。この締結要素挿通孔４０は、開口形状が円形であり、位置調整ガラス１５を厚さ方向に貫通する貫通孔である。より詳細に説明すると、位置調整ガラス１５には、桁行方向における位置が同一であり、幅方向で所定の間隔を空けて並列した状態となる３つの締結要素挿通孔４０が形成されている。そして、１つの締結要素挿通孔４０は、位置調整ガラス１５の幅方向における中心（又は中心近傍）に形成され、他の２つは、幅方向の中心よりも片側端部よりの位置と、幅方向の中心よりも他方端部よりの位置にそれぞれ形成されている。
【００６９】
化粧ガラス１６は、外形が略長方形平板状となるガラス製の部材であり、平面視した形状が略四角形状となっている。そして、化粧ガラス１６は、その表面が軒側領域４４と棟側領域４５とに区画されている。この化粧ガラス１６の幅方向（梁間方向）の長さは、背面ガラス１３の幅方向（梁間方向）の長さと同一となっている。
【００７０】
軒側領域４４は、組み立て時に太陽電池部１４における透過光受光領域３５の上側に位置する部分である。この軒側領域４４にもまた表面処理が施されており、その外観がスレート瓦３の外観と極めて似通った状態となっている。この表面処理についても詳しくは後述する。
【００７１】
棟側領域４５は、組み立て時に位置調整ガラス１５の上側に位置する部分であり、３つのブッシング挿通孔４８が設けられている。このブッシング挿通孔４８は、いずれも開口形状が円形であり、化粧ガラス１６を厚さ方向に貫通する貫通孔である。３つのブッシング挿通孔４８は、桁行方向における位置が同一であり、幅方向で所定の間隔を空けて並列した状態となっている。そして、１つのブッシング挿通孔４８は、化粧ガラス１６の幅方向における中心（又は中心近傍）に形成され、他の２つは、幅方向の中心よりも片側端部よりの位置と、幅方向の中心よりも他方端部よりの位置にそれぞれ形成されている。
【００７２】
なお、太陽電池モジュール４は、図３で示されるように、ブッシング挿通孔４８にブッシング部材４９（緩衝材）を嵌め込んで形成されている。
【００７３】
ブッシング部材４９は、プラスチック材料から製造される部材であり、図４、図５で示されるように、上側に位置するフランジ部７０と、下側に位置する円筒状部７１が一体となっている。
【００７４】
フランジ部７０は、外形が略円盤状の部分であり、図５で示されるように、その中心部分にフランジ部７０を厚さ方向に貫通する上側貫通孔７２が形成されている。この上側貫通孔７２は、下側に向かうにつれて狭径となる略すり鉢状の貫通孔であり、その中心軸がフランジ部７０の中心（ブッシング部材４９の中心）に位置するように形成されている。
【００７５】
円筒状部７１は、フランジ部７０の下面から下方に突出する部分であり、その中心部分に下側貫通孔７３が形成されている。この下側貫通孔７３は、その中心軸が円筒状部７１の中心（ブッシング部材４９の中心）に位置するように形成され、円筒状部７１の長手方向に沿って延びる貫通孔となっている。
【００７６】
ここで、フランジ部７０の上側貫通孔７２と、円筒状部７１の下側貫通孔７３は、上下方向で連続し、一体の貫通孔である締結要素挿通孔５０を形成している。この締結要素挿通孔５０は、上下方向に沿って延びる貫通孔であり、ブッシング部材４９の上端面と下端面とにそれぞれ開口を有する孔である。つまり、締結要素挿通孔５０は、ブッシング部材４９の全体を厚さ方向に貫通する貫通孔となっている。
【００７７】
続いて、太陽電池モジュール４の組み立て構造について、図面を参照にしつつ詳細に説明する。
【００７８】
図６で示されるように、背面ガラス１３の表面側に四角環状（又は一部欠落した四角環状）に延びるシール部材５１を固定する。
【００７９】
シール部材５１は、天然ゴム、合成ゴム、合成樹脂といった適宜の材料から形成され、線状に延びる部材である。このシール部材５１は、背面ガラス１３の表面のうち、軒側端部の上に位置して幅方向に沿って延びる部分と、幅方向の端部の上に位置して桁行方向に沿って延びる部分と、締結要素挿通孔２４よりやや棟側に位置する部分を幅方向に沿って延びる部分とを有しており、これらが連続して形成されている。
【００８０】
そして、シール部材５１は、太陽電池封止領域２０の縁部分に沿って延びた状態で、背面ガラス１３に固定されている。このため、シール部材５１に囲まれた部分の内側にリード線挿通孔２３が、外側に締結要素挿通孔２４が位置した状態となっている。
【００８１】
続いて、図７、図８で示されるように、カバーガラス２８と位置調整ガラス１５の一部を背面ガラス１３の上側に載置し、一体に固定する。このことにより、カバーガラス２８の裏面側が封止されて太陽電池部１４が形成される（図８参照）。
【００８２】
より詳細に説明すると、シール部材５１の内側に位置する領域であって、太陽電池封止領域２０に該当する部分の上側に、セル用ＥＶＡ（エチレンビニルアセテート）シート５３を積層する。対して、シール部材５１の外側に位置する領域であって、外側領域２１の上側に、調整ガラス用ＥＶＡシート５４を積層する。なお、セル用ＥＶＡシート５３と調整ガラス用ＥＶＡシート５４は、間隔を空けて並列配置された状態となっており、間にシール部材５１の部材の一部が配された状態となっている。
【００８３】
ここで、位置調整ガラス１５の下面又は上面の面積は、カバーガラス２８の下面又は上面の面積よりも小さくなっている。このため、調整ガラス用ＥＶＡシート５４の面積もまた、セル用ＥＶＡシート５３の面積よりも小さくなっている。
【００８４】
そして、シール部材５１とセル用ＥＶＡシート５３の上側にカバーガラス２８を位置させ、調整ガラス用ＥＶＡシート５４の上側に位置調整ガラス１５の一部を位置させる。ここで、カバーガラス２８と位置調整ガラス１５は隣接配置されており、隙間なく並列配置された状態となっている。すなわち、カバーガラス２８の棟側端面と、位置調整ガラス１５の軒側端面とが接触した状態となっている。
【００８５】
このことから、カバーガラス２８の下面の縁部分の下方側に、シール部材５１が位置することととなる。その結果、カバーガラス２８と背面ガラス１３の間に形成される空間では、その縁部分がシール部材５１によって封止され、カバーガラス２８の裏面側に積層した太陽電池セル３１とセル用ＥＶＡシート５３とが重なった状態となる。
【００８６】
具体的に説明すると、カバーガラス２８と背面ガラス１３とが重なっている部分では、その略全域において、表面側からカバーガラス２８、太陽電池セル３１、セル用ＥＶＡシート５３、背面ガラス１３の順に積層される積層体が形成される。言い換えると、つまり、カバーガラス２８、太陽電池セル３１からなる積層体の裏面側が、セル用ＥＶＡシート５３、背面ガラス１３によって封止され、太陽電池部１４が形成されることとなる。
このとき、太陽電池部１４から延設されるリード線（図示しない）は、リード線挿通孔２３（図７参照）に挿通された状態となっており、背面ガラス１３の裏面よりも外側に位置する部分まで延びた状態となっている。
【００８７】
また、位置調整ガラス１５は、軒側の部分が背面ガラス１３の上側に位置し、他の部分が背面ガラス１３より棟側にはみ出している。より詳細には、位置調整ガラス１５の軒側端部から桁行方向の中心よりやや棟側に位置する部分までが背面ガラス１３と重なった状態となっている。そして、棟側に位置する部分が背面ガラス１３の棟側端部よりもさらに棟側に位置している。
【００８８】
そして、図８で示されるように、太陽電池部１４と位置調整ガラス１５の上側に、化粧ガラス用ＥＶＡシート５７を載置し、さらにその上側に化粧ガラス１６を載置する。
【００８９】
より詳細には、太陽電池部１４の棟側部分に位置する透過光受光領域３５（図４等参照）と、位置調整ガラス１５の上側に、化粧ガラス用ＥＶＡシート５７と化粧ガラス１６を載置する。そして、背面ガラス１３の裏面側に端子ボックス５２を固定した状態とする。
【００９０】
このとき、化粧ガラス用ＥＶＡシート５７の上面の面積と、化粧ガラス１６の裏面の面積とは略同一となっている。そして、化粧ガラス１６は、化粧ガラス用ＥＶＡシート５７の上側に丁度重なるように配置されている。このため、化粧ガラス１６の裏面のうち、略全ての部分の下方側に化粧ガラス用ＥＶＡシート５７が位置した状態となっている。
【００９１】
ここで、本実施形態では、予め化粧ガラス１６のブッシング挿通孔４８の内側にブッシング部材４９を配した状態で、化粧ガラス１６を化粧ガラス用ＥＶＡシート５７の上側に位置させる。このことにより、ブッシング部材４９の部材の一部もまた、化粧ガラス用ＥＶＡシート５７の上側に載置された状態となり、ブッシング部材４９が化粧ガラス用ＥＶＡシート５７を介して位置調整ガラス１５と一体に固定された状態となる。
【００９２】
具体的に説明すると、まず、図８、図９（ａ）で示されるように、化粧ガラス１６のブッシング挿通孔４８の内側にブッシング部材４９を配した状態とする。そして、図９（ｂ）で示されるように、化粧ガラス用ＥＶＡシート５７に、化粧ガラス１６とブッシング部材４９を載置する。
【００９３】
ここで、図９（ｂ）で示されるように、背面ガラス１３、位置調整ガラス１５、化粧ガラス１６を積層する際、背面ガラス１３の締結要素挿通孔２４と、位置調整ガラス１５の締結要素挿通孔４０と、化粧ガラス１６のブッシング挿通孔４８とが重なった状態とする。
【００９４】
このとき、２つの締結要素挿通孔２４，４０とブッシング挿通孔４８は、その中心軸が同一となるように重なっている。そして、２つの締結要素挿通孔２４，４０とブッシング挿通孔４８は一連の連通孔を形成している。また、２つの締結要素挿通孔２４，４０の孔径が同一となっており、ブッシング挿通孔４８の孔径がこの締結要素挿通孔２４，４０の孔径よりも大きくなっている。
【００９５】
このため、ブッシング挿通孔４８の内側にブッシング部材４９を配し、化粧ガラス１６を化粧ガラス用ＥＶＡシート５７の上側に載置すると、ブッシング部材４９は、図９（ｂ）で示されるように、フランジ部７０がブッシング挿通孔４８の内側に位置した状態となる。また、円筒状部７１が、２つの締結要素挿通孔２４，４０によって形成される連通孔の内側に位置した状態となっている。そして、ブッシング部材４９に形成された締結要素挿通孔５０が、２つの締結要素挿通孔２４，４０とブッシング挿通孔４８によって形成される一連の連通孔の内側に位置した状態となる。
【００９６】
また、ブッシング挿通孔４８の内側に位置するフランジ部７０は、下面の大部分が位置調整ガラス１５の上側に載置された状態となり、化粧ガラス用ＥＶＡシート５７の上面と密着した状態となる。すなわち、化粧ガラス１６及びフランジ部７０と、位置調整ガラス１５との間に化粧ガラス用ＥＶＡシート５７が介在した状態となる。そして、化粧ガラス用ＥＶＡシート５７の接着力により、化粧ガラス１６とフランジ部７０のそれぞれと、位置調整ガラス１５とを一体に固定する。
【００９７】
このように、ブッシング挿通孔４８の内側にブッシング部材４９を配し、化粧ガラス１６を化粧ガラス用ＥＶＡシート５７の上側に載置することで、化粧ガラス１６とフランジ部７０のそれぞれと、位置調整ガラス１５とを一体に固定している。すなわち、本実施形態では、化粧ガラス１６を化粧ガラス用ＥＶＡシート５７の上に積層させる際に、同時にブッシング部材４９を固定している。
【００９８】
言い換えると、化粧ガラス１６を位置調整ガラス１５の上側に載置するとき、化粧ガラス１６の裏面側が化粧ガラス用ＥＶＡシート５７によってラミネート加工された状態となる。つまり、ブッシング部材４９をブッシング挿通孔４８の内側に配したまま、化粧ガラス１６の裏面側にラミネート加工を施すことにより、ブッシング部材４９を位置調整ガラス１５に一体に固定している。
【００９９】
ところで、ブッシング部材４９は、フランジ部７０の径がブッシング挿通孔４８の内径よりも十分に小さく、円筒状部７１の径が２つの締結要素挿通孔２４，４０の内径よりも十分に小さくなっている。このことから、ブッシング挿通孔４８と２つの締結要素挿通孔２４，４０からなる一連の連通孔の内側にブッシング部材４９を配すとき、連通孔の内周面とブッシング部材４９の間に空隙が形成されることとなる。このようにすると、ブッシング部材４９を連通孔の内部に挿入するとき、ブッシング部材４９が連通孔の内周面を傷つけるといったことがない。
【０１００】
具体的に説明すると、例えば、ブッシング部材が連通孔よりもやや大きく、ブッシング部材を可撓変形させつつ連通孔に押し入れるような構造であったとする。この場合、ブッシング部材を押し入れる際に、ブッシング部材と連通孔の内周面が接触した状態で力が加わることで、連通孔の内周面が破損してしまうおそれがある。これに対し、本実施形態では、ブッシング部材４９を連通孔よりも十分に小さいものとし、ブッシング部材４９の挿通時にブッシング部材４９が連通孔の内周面に接触し難い構造としている。このことにより、ブッシング部材４９が連通孔の内周面を傷つけるといったことがなく、背面ガラス１３、位置調整ガラス１５、化粧ガラス１６等を傷つけてしまうことがない。
【０１０１】
そして、ブッシング部材４９が固定された状態では、図９（ｂ）で示されるように、ブッシング部材４９の下端が背面ガラス１３の下面より下方側に位置している。より具体的には、円筒状部７１の長さ（ブッシング部材４９の軸長さ）は、背面ガラス１３、調整ガラス用ＥＶＡシート５４、位置調整ガラス１５、化粧ガラス用ＥＶＡシート５７の合計厚さよりも長くなっている。そして、円筒状部７１の下端部分が、ブッシング挿通孔４８と２つの締結要素挿通孔２４，４０によって形成される連通孔の下端開口から下方に突出した状態となっている。このことにより、太陽電池モジュール４を母屋部材２に固定する際、背面ガラス１３の損傷を防止可能であり、太陽電池モジュール４の姿勢を安定させることが可能となる（詳しくは後述する）。
【０１０２】
そして、図１０で示されるように、背面ガラス１３、位置調整ガラス１５、化粧ガラス１６、カバーガラス２８が一体に固定された状態となる。また、カバーガラス２８から背面ガラス１３に至るまでの重なり部分に太陽電池部１４が形成され、太陽電池部１４の棟側に位置する透過光受光領域３５の上側に、化粧ガラス１６の軒側領域４４が重なった状態となる。
【０１０３】
すなわち、化粧ガラス１６はカバーガラス２８の表面側に位置しており、軒側領域４４がカバーガラス２８の上側に重なり、棟側領域４５が位置調整ガラス１５の上側に位置している。言い換えると、化粧ガラス１６は、一部がカバーガラス２８と重なり、残りの部分がカバーガラス２８の棟側にはみ出した状態となっている。また、化粧ガラス１６のはみ出した部分が位置する領域と、位置調整ガラス１５が重なっているともいえる。
【０１０４】
そして、化粧ガラス１６の面積（上面又は下面の面積）は、カバーガラス２８の面積（上面又は下面の面積）よりも小さくなっている。このため、化粧ガラス１６の棟側にはみ出した部分の面積もまた、カバーガラス２８の面積よりも十分に小さくなっている。そして、カバーガラス２８の表面のうち、化粧ガラス１６と重なった部分の面積は、カバーガラス２８の面積の略２分の１（略整数分の１）となっている。
【０１０５】
ここで、図１０で示されるように、位置調整ガラス１５の棟側端部と、化粧ガラス１６の棟側端部とは桁行方向の位置が同一（略同一）の位置となっている。つまり、化粧ガラス１６の棟側に位置する２つの角部分が、位置調整ガラス１５の棟側に位置する２つの角部分と重なった状態となっており、化粧ガラス１６の棟側端部と位置調整ガラス１５の棟側端部とが上下方向で隣接する位置にある。換言すると、化粧ガラス１６の表面（又は裏面）の棟側辺と、位置調整ガラス１５の表面（又は裏面）の棟側辺とが重なった状態となっている。
【０１０６】
そして、背面ガラス１３の棟側端部は、これら位置調整ガラス１５や化粧ガラス１６の棟側端部よりも軒側に位置した状態となっている。すなわち、位置調整ガラス１５は、一部が背面ガラス１３と重なり、他の部分が背面ガラス１３の棟側にはみ出した状態となっている。化粧ガラス１６もまた、一部が背面ガラス１３の上方に位置し、他の部分が背面ガラス１３の棟側にはみ出した状態となっている。換言すると、位置調整ガラス１５及び化粧ガラス１６の棟側端部の下方側には、背面ガラス１３が位置しない空間８０が形成されている。より詳細には、位置調整ガラス１５及び化粧ガラス１６の棟側部分の下方側であって、背面ガラス１３の棟側端部よりも棟側に位置する部分に空間８０が形成されている。
このことにより、太陽電池モジュール４の裏面側であって棟側の端部近傍には、段差状の部分が形成された状態となっている。
【０１０７】
続いて、カバーガラス２８の露出領域３４と化粧ガラス１６の軒側領域４４に対して、表面処理を実施する。
【０１０８】
具体的に説明すると、図１１で示されるように、まず、カバーガラス２８の露出領域３４の表面と、化粧ガラス１６の軒側領域４４の表面の所定の部分にマスキングテープ６０を貼りつけていく。なお、各部に貼りつけられたマスキングテープ６０は、いずれも桁行方向に沿って線状に延びた状態となっている。
【０１０９】
化粧ガラス１６の軒側領域４４には、図１２で示されるように、幅方向の片側端部から所定距離Ｌ５だけ離れた位置に、１つ目のマスキングテープ６０が貼りつけられている。そして、１つ目のマスキングテープ６０から幅方向に所定距離Ｌ５だけ離れた位置に２つ目のマスキングテープ６０が、２つ目のマスキングテープ６０から幅方向に所定距離Ｌ５だけ離れた位置に３つ目のマスキングテープ６０が貼りつけられている。つまり、化粧ガラス１６の軒側領域４４では、複数のマスキングテープ６０がそれぞれ所定距離Ｌ５ずつ間隔を空けて並列した状態となっている。さらに、化粧ガラス１６の軒側領域４４の幅方向における片側端部からこの端部に最も近接するマスキングテープ６０までの距離と、他方端部からこの端部に最も近接するマスキングテープ６０までの距離もまた、所定距離Ｌ５となっている。
【０１１０】
対して、カバーガラス２８の露出領域３４では、マスキングテープ６０同士の間隔は同じく所定距離Ｌ５となっているが、カバーガラス２８の露出領域３４の幅方向における片側端部からこの端部に最も近接するマスキングテープ６０までの距離と、他方端部からこの端部に最も近接するマスキングテープ６０までの距離が、所定距離Ｌ５とは異なる距離Ｌ６となっている。そして、この距離Ｌ６は、所定距離Ｌ５の略２分の１の長さとなっている。
【０１１１】
すなわち、化粧ガラス１６の軒側領域４４とカバーガラス２８の露出領域３４では、いずれもマスキングテープ６０同士の間隔が所定距離Ｌ５となるように複数のマスキングテープ６０が並列した状態となっている。しかしながら、幅方向の端部からその端部に最も近接するマスキングテープ６０までの距離が、一方のみ他方の２分の１の長さとなっている。このことから、化粧ガラス１６の軒側領域４４に形成される複数のマスキングテープ６０による列と、カバーガラス２８の露出領域３４に形成される複数のマスキングテープ６０による列とは、化粧ガラス１６の軒側領域４４及びカバーガラス２８の露出領域３４の幅方向に配置間隔の２分の１の距離だけずれている。
【０１１２】
このように、マスキングテープ６０を貼りつけた状態で、化粧ガラス１６の軒側領域４４とカバーガラス２８の露出領域３４の表面に対し、サンドブラストを実行し、その後に、コーティング剤を塗布する表面処理を施す。そして、マスキングテープ６０を剥がすことにより、図３で示されるように、太陽電池モジュール４が完成する。
【０１１３】
この表面処理を施すことにより、施した部分の表面における色や質感（表面粗さ）がスレート瓦３と非常に類似した状態となる。すなわち、本実施形態では、平滑なガラス表面を粗くする処理を行うことで、天然石を切り出して形成されたスレート瓦３の表面に近しい表面を形成している。このことにより、屋根上に敷設したときに太陽電池モジュール４とスレート瓦３との間で外観上の区別がつきにくく、屋根全体で一体感のある外観美を作り出すことが可能となる（詳しくは後述する）。
【０１１４】
ところで、ガラス表面を粗くすると、ガラス表面をスレート瓦３の表面に近しい表面とすることができる反面、ガラス表面の凹凸に塵や埃等が入り込み易くなる。そこで、本実施形態では、サンドブラスト後にコーティング剤を塗布することで、粗くしたガラス表面を汚れにくくしている。
【０１１５】
また、図８で示されるように、表面処理を実施する前の太陽電池部１４は、全体が黒みがかって見えている。そして、図１０で示されるように、太陽電池部１４の上に化粧ガラス１６を載置した際、化粧ガラス１６が透明であることから、化粧ガラス１６が位置する部分でも下方の太陽電池部１４が透けて見えることとなる。すなわち、図１０で破線で示している太陽電池部１４が透けて見えることにより、化粧ガラス１６の軒側部分（軒側領域４４）もまた黒みがかって見えることとなる。
【０１１６】
ここで、マスキングテープ６０を貼りつけていた部分には、表面処理が実施されないので、表面処理の実施後においても以前と同様に黒みがかってみえる。このことから、化粧ガラス１６の軒側領域４４とカバーガラス２８の露出領域３４の表面には、図３で示されるように、黒く見える部分が形成されることとなる。
【０１１７】
つまり、化粧ガラス１６の軒側領域４４とカバーガラス２８の露出領域３４の表面には、粗面化された粗面化部位６１と、平滑さを保った平滑部位６２が形成されることとなる。そして、平滑部位６２は黒みがかって見えるため、あたかも桁行方向に延びる黒い線のように見えることとなる。
【０１１８】
ところで、本実施形態の太陽電池モジュール４は、図３で示されるように、背面ガラス１３の表面側に、太陽電池部１４及びカバーガラス２８、位置調整ガラス１５の一部、化粧ガラス１６が存在する構造となっている。
そして、太陽電池部１４の裏面側を封止する背面ガラス１３の上面の面積が、受光面を形成するカバーガラス２８の上面の面積よりも大きくなっている。そのため、背面ガラス１３の表面には、カバーガラス２８が重なっている部分よりも棟側の部分に、カバーガラス２８及び太陽電池セル３１（図４参照）のいずれもが存在しない領域（外側領域２１であり、以下単に余剰領域とも称す）が形成されている。さらに、この領域には、位置調整ガラス１５が載置されている。つまり、背面ガラス１３の棟側部分は、太陽電池部１４の棟側端部から棟側にはみ出しており、この部分が位置調整ガラス１５を載置するための領域となっている。
【０１１９】
なお、背面ガラス１３の上面の面積はカバーガラス２８の上面の面積の１．１７倍となっている。そして、余剰領域の面積はカバーガラス２８の上面の面積の１７パーセントとなっている。この背面ガラス１３の上面の面積はカバーガラス２８の上面の面積１．１倍以上４倍以下が好ましい。また、余剰領域の面積は、カバーガラス２８の上面の面積の１０パーセント以上３００パーセント以下であることが好ましい。
【０１２０】
続いて、本実施形態の屋根構造１の施工方法について説明する。
【０１２１】
まず、図１３で示されるように、軒側第１段目のスレート瓦３を固定していく。すなわち、それぞれのスレート瓦３の取付用孔８と母屋部材２とを重ね合わせ、取付用孔８に木ネジや釘等の締結要素を挿通し、スレート瓦３と母屋部材２とを一体に固定する。このことにより、屋根の軒側端部では、複数のスレート瓦３が梁間方向に沿って隙間なく並列した状態となる。
なお、締結要素とは、ネジ、釘、ビス等の上位概念とする。
【０１２２】
次に、図１４で示されるように、軒側第２段目のスレート瓦３を固定していく。この軒側第２段目のスレート瓦３もまた、軒側第１段目のスレート瓦３と同様に、取付用孔８に締結要素を挿通して母屋部材２と一体に固定する。
【０１２３】
ここで、軒側第１段目のスレート瓦３の棟側部分と、軒側第２段目のスレート瓦３の軒側部分とは重なり合った状態となっている。より詳細には、軒側第１段目で隣り合うスレート瓦３の境界となる部分のうちで棟側に位置する部分の上側に、軒側第２段目に配されるスレート瓦３の幅方向の中心近傍となる部分であって、且つ、軒側よりの部分が位置し、これらが重なり合っている。
【０１２４】
このとき、軒側第１段目に配されるスレート瓦３の取付用孔８を、軒側第２段目に配されるスレート瓦３が覆った状態となっている。
より詳細には、軒側第２段目に配される１つのスレート瓦３が、軒側第１段目で隣り合う２つのスレート瓦３のうち、片側のスレート瓦３に形成される２つの取付用孔８の内の１つと、もう一方のスレート瓦３に形成される２つの取付用孔８の内の１つとを覆った状態となっている。より詳細には、それぞれのスレート瓦３に形成される取付用孔８のうち、２つのスレート瓦３の境界となる部分に最も近接する取付用孔８が、軒側第２段目のスレート瓦３に覆われた状態となっている。
【０１２５】
つまり、軒側第２段目のスレート瓦３は、軒側第１段目のスレート瓦３に対して瓦幅Ｌ１（図２参照）の半分だけ幅方向にずれた位置に敷設されている。すなわち、本実施形態の屋根構造１では、その大半の部分において、隣り合う段のスレート瓦３が幅方向にずれた位置に敷設される構造となっている。換言すると、本実施形態の屋根構造１は、複数のスレート瓦３が段状且つ千鳥状に配置された状態となっている。
【０１２６】
このため、第１段目のスレート瓦３の棟側部分のうち、幅方向の中心から一方側の端部に至るまでの部分と、第２段目のスレート瓦３の軒側部分のうち、幅方向の中心から他方側の端部に至るまでの部分とが重なった状態となっている。
【０１２７】
以降同様に、軒側第３段目以降のスレート瓦３を固定していく。
【０１２８】
ここで、軒側第２段目及び軒側第３段目のスレート瓦３と並列する位置に、太陽電池モジュール４を固定する。
より具体的には、図１４で示すように、太陽電池モジュール４のうちカバーガラス２８の露出領域３４が軒側第２段目のスレート瓦３の露出部分と幅方向（梁間方向）で並列する位置であり、化粧ガラス１６の軒側領域４４が軒側第３段目のスレート瓦３の露出部分と幅方向（梁間方向）で並列する位置となるように、太陽電池モジュール４を固定する。
【０１２９】
ここで、太陽電池モジュール４では、上記したように、２つの締結要素挿通孔２４，４０と、ブッシング挿通孔４８が連通して一連の連通孔を形成しており、その連通孔の内側にブッシング部材４９が固定されている（図９（ｂ）等参照）。すなわち、図１５でも示されるように、太陽電池モジュール４を厚さ方向に貫通する連通孔の内側に、ブッシング部材４９が固定されている。
【０１３０】
そして、太陽電池モジュール４を固定する際には、ブッシング部材４９の締結要素挿通孔５０に対して締結要素を挿通する。すなわち、図１６で示されるように、締結要素挿通孔５０にネジ、釘等の締結要素を挿通し、締結要素の頭部が上側貫通孔７２の内側に、軸部が下側貫通孔７３の内側にそれぞれ位置した状態とする。このことにより、太陽電池モジュール４と母屋部材２とを一体に固定する。
【０１３１】
具体的に説明すると、ブッシング部材４９の下方端部は、上記したように、２つの締結要素挿通孔２４，４０と、ブッシング挿通孔４８から構成される連通孔の下側開口から下方に突出している。換言すると、円筒状部７１の突出方向における先端側の部分は、背面ガラス１３の下面から下方へ僅かに突出した状態となっている。このため、太陽電池モジュール４を母屋部材２の上側に載置すると、図１６（ａ）で示されるように、ブッシング部材４９の下端が母屋部材２の上面と接触し、背面ガラス１３の裏面が母屋部材２から上方に離れた位置に配置されることとなる。
【０１３２】
この状態で、締結要素挿通孔５０に締結要素を挿通すると、図１６（ｂ）で示されるように、締結要素挿通孔５０の下側開口から突出する締結要素の下端部分が母屋部材２の内部に入り込む。また、これに伴って、太陽電池モジュール４の下面、すなわち、背面ガラス１３の下面が母屋部材２の上面と接触した状態となる。このとき、ブッシング部材４９の下端部分であり、連通孔の下側開口から下方に突出した部分は、母屋部材２に減り込んだ状態となる。すなわち、ブッシング部材４９が押し付けられることで母屋部材２に窪みが形成され、その窪み部分にブッシング部材４９の下端部分が入り込んだ状態となる。
【０１３３】
かかる構成によると、背面ガラス１３の下面と母屋部材２の上面が接触した状態で締結要素を捩じ込む（又は打ち込む）場合とは異なり、締結要素の捩じ込み（又は打ち込み）によって生じる衝撃が背面ガラス１３に伝わり難くなっている。そのため、太陽電池モジュール４の固定作業時に発生するガラスの損傷を抑制できる。
また、締結要素に加え、ブッシング部材４９の下端を母屋部材２に入り込ませることにより、固定時の太陽電池モジュール４をより安定させることができる。すなわち、太陽電池モジュール４と母屋部材２をより強固に固定することができる。
【０１３４】
本実施形態の太陽電池モジュール４は、取り付け用の孔を母屋部材２と重ね合わせて締結要素を挿通するというスレート瓦３と全く同様の方法で屋根上に固定することが可能となっている。すなわち、取付用の金具を母屋部材２やスレート瓦３に固定するといったような、太陽電池モジュール４を取り付けるための専用の作業を行う必要がなく、屋根上への固定作業が容易である。
【０１３５】
また、本実施形態の太陽電池モジュール４は、予め２つの締結要素挿通孔２４，４０と、ブッシング挿通孔４８から構成される連通孔の内側にブッシング部材４９を配し、このブッシング部材４９の締結要素挿通孔５０に締結要素を挿通して固定している。このことにより、締結要素を捩じ込んでいく（又は押し込んでいく）とき、締結要素の先端部分が締結要素挿通孔２４，４０の内周面と接触することがなく、締結要素挿通孔２４，４０の内周面を傷つけてしまうことがない
【０１３６】
そして、図１７で示されるように、太陽電池モジュール４のさらに上段側にもまた、別途太陽電池モジュール４を固定する。
【０１３７】
このとき、上段側の太陽電池モジュール４ｂは、下段側の太陽電池モジュール４ａに対してスレート瓦３の幅寸法Ｌ１（図２参照）だけ梁間方向（太陽電池モジュール４の幅方向）にずれた位置に固定されている。
【０１３８】
ここで、下段側の太陽電池モジュール４ａのうち、化粧ガラス１６の軒側領域４４（図３参照）よりも棟側に位置する部分の上側に、上段側の太陽電池モジュール４ｂや軒側第３段目のスレート瓦３が重なった状態となる。
【０１３９】
まず、上段側の太陽電池モジュール４ｂが重なっている部分について説明する。
図１４、図１７で示されるように、下段側の太陽電池モジュール４ａの化粧ガラス１６の棟側領域４５の上側に、上段側の太陽電池モジュール４ｂの軒側部分が重なった状態となる。言い換えると、下段側の太陽電池モジュール４ａの棟側領域４５における軒側端部と、上段側の太陽電池モジュール４ｂの全体における軒側端部とが重なるように、下段側の太陽電池モジュール４ａと上段側の太陽電池モジュール４ｂとが桁行方向にずれた状態で重なっている。
このことにより、図１８で示されるように、ブッシング部材４９が位置する締結要素が挿通される連通孔の上側が、上段側の太陽電池モジュール４ｂの軒側部分によって覆われた状態となっている。
【０１４０】
続いて、下段側の太陽電池モジュール４ａの化粧ガラス１６の棟側領域４５の上側に、スレート瓦３が重なった部分について説明する。この場合も、上段側の太陽電池モジュール４ｂが重なっている場合と同様に、締結要素が挿通される連通孔の上側が、スレート瓦３によって覆われた状態となっている。
【０１４１】
ここで、本実施形態の太陽電池モジュール４では、図１８で示されるように、背面ガラス１３の裏面側に端子ボックス５２が固定された状態となっている。より詳細には、締結要素が挿通される連通孔の中心部分から所定距離Ｌ７だけ軒側に離れた位置に、端子ボックス５２の棟側端部が位置するように、固定されている。そして、この端子ボックス５２は、背面ガラス１３の裏面から下方に突出した状態となっている。
【０１４２】
そして、本実施形態の太陽電池モジュール４は、桁行方向で所定間隔を空けて並列配置する母屋部材２の間に形成される空間に端子ボックス５２が収まるように、母屋部材２に対して固定されている。
【０１４３】
また、背面ガラス１３よりも棟側に位置する空間８０に母屋部材２の一部（少なくとも一部）が配された状態となっている。
【０１４４】
続いて、図１７で示される状態から、上段側の太陽電池モジュール４ｂのさらに上側にスレート瓦３を敷き詰めていく。このことにより、屋根構造１が形成されることとなる（図１参照）。
【０１４５】
本実施形態の屋根構造１では、図１で示されるように、スレート瓦３のみが敷き詰められていて、太陽電池モジュール４が配置されていない領域（以下、屋根材敷設領域とも称す）と、太陽電池モジュール４のみが敷き詰められていて、スレート瓦３が敷き詰められていない領域（以下、モジュール敷設領域とも称す）が形成されている。
そして、屋根材敷設領域では、下段側のスレート瓦３は、一部が上段側のスレート瓦３の下方側に位置しており、他の部分のみが外部に露出した状態となっている。また、モジュール敷設領域では、太陽電池モジュール４は、カバーガラス２８の露出領域３４と、化粧ガラス１６の軒側領域４４のみが外部に露出した状態となっている。
【０１４６】
本実施形態の太陽電池モジュール４は、図１９等でも示されるように、太陽電池部１４の表面であるカバーガラス２８の露出領域３４と、化粧ガラス１６の軒側領域４４の間には段差が形成された状態となっている。この段差は、カバーガラス２８の露出領域３４の幅方向の側方に位置するスレート瓦３と、化粧ガラス１６の軒側領域４４の幅方向の側方に位置するスレート瓦３の段差と同様の段差となっている。
【０１４７】
すなわち、カバーガラス２８の露出領域３４の上面と化粧ガラス１６の軒側領域４４の上面の間に形成される高低差と、露出領域３４の幅方向の側方に位置するスレート瓦３の上面と軒側領域４４の幅方向の側方に位置するスレート瓦３の上面の間の高低差とが同じ（又は略同じ）となっている。
【０１４８】
さらに、上記したように、カバーガラス２８の露出領域３４と化粧ガラス１６の軒側領域４４には、表面処理を施されて粗面化された粗面化部位６１が形成されており、粗面化部位６１の縁端部分に表面処理が施されていない平滑部位６２が位置した状態となっている。そして、平面的に分布する粗面化部位６１は、表面における色や質感（表面粗さ）がスレート瓦３と非常に類似した状態となっており、平滑部位６２は黒い線状に見える状態となっている。
【０１４９】
このため、カバーガラス２８の露出領域３４と化粧ガラス１６の軒側領域４４を見たとき、あたかもスレート瓦３が敷き詰められているような外観となる。
【０１５０】
すなわち、平面視した形状が略四角形状の面である粗面化部位６１は、屋根材敷設領域に配置するスレート瓦３の外部に露出した部分と略同一の形状となっている。さらに、カバーガラス２８の露出領域３４に形成される粗面化部位６１と、化粧ガラス１６の軒側領域４４に形成される粗面化部位６１もまた、屋根材敷設領域に配置するスレート瓦３の露出部分のように段差を介して連続した状態となっている。さらに、平滑部位６２が黒い線のように見えることから、あたかも隣接配置されたスレート瓦３同士の境界部分に形成される影のように見える。
【０１５１】
このことから、本実施形態の屋根構造１では、屋根材敷設領域とモジュール敷設領域とが非常に見分けにくく、一見すると同一に見える。すなわち、屋根全体で一体感のある外観美を有する屋根を形成することが可能となる。
【０１５２】
上記した実施形態では、背面ガラス１３の幅方向の長さと、位置調整ガラス１５、カバーガラス２８、化粧ガラス１６の幅方向の長さとを同一の長さとした。そして、位置調整ガラス１５、カバーガラス２８、化粧ガラス１６を背面ガラス１３の軒側に寄せて配置した。すなわち、位置調整ガラス１５よりも棟側の部分に、カバーガラス２８、太陽電池セル３１（図４参照）、位置調整ガラス１５のいずれもが存在しない領域を形成した。しかしながら、本発明はこれに限るものではない。
【０１５３】
例えば、図２０で示されるように、背面ガラス１１３（裏面封止板）の桁行方向の長さを長くし、背面ガラス１１３の棟側端部が位置調整ガラス１５及び化粧ガラス１６のの棟側端部よりもさらに棟側に位置する太陽電池モジュール１０４であってもよい。
この太陽電池モジュール１０４では、背面ガラス１１３の棟側部分が、位置調整ガラス１５及び化粧ガラス１６の棟側端部が位置する部分から棟側に突出した状態となっている。このため、背面ガラス１１３の棟側部分には、その上側（表面側）に、太陽電池部１４及びカバーガラス２８、位置調整ガラス１５、化粧ガラス１６のいずれもが存在しない領域が形成されている。
【０１５４】
また、背面ガラス１１３の幅方向の長さを、位置調整ガラス１５、カバーガラス２８、化粧ガラス１６の幅方向の長さよりも長くしてもよい。すなわち、位置調整ガラス１５、カバーガラス２８、化粧ガラス１６のいずれかの幅方向端部よりもさらに外側に、カバーガラス２８、太陽電池セル３１（図４参照）、位置調整ガラス１５のいずれもが存在しない領域を形成してもよい。換言すると、太陽電池モジュール４のうち、梁間方向における端部周辺の領域が、カバーガラス２８、太陽電池セル３１、位置調整ガラス１５のいずれもが存在しない領域であってもよい。
【０１５５】
上記した実施形態では、カバーガラス２８の裏面側に導電膜や半導体膜を積層し、さらにその裏面側を背面ガラス１３の一部で封止した太陽電池部１４を備えた太陽電池モジュール４について説明した。すなわち、上記した実施形態では、所謂薄膜型と称される太陽電池モジュール４の例を示した。しかしながら、本発明はこれに限るものではない。
【０１５６】
例えば、カバーガラス２８と背面ガラス１３の間に結晶シリコンを封入した、所謂結晶型と称される太陽電池モジュールであってもよい。すなわち、表面側からカバーガラス２８、太陽電池セル３１、セル用ＥＶＡシート５３、背面ガラス１３の順に積層される積層体が形成される太陽電池部１４に代わって、表面側からカバーガラス２８、ＥＶＡシート、太陽電池セル、ＥＶＡシート、背面ガラス１３が積層される太陽電池部であっても構わない。本発明の太陽電池部は、裏面側を背面ガラスで封止する構造のものであればよく、結晶シリコン太陽電池や、ＧａＡｓ等のシリコン以外の半導体基板が用いられる太陽電池、非晶質シリコン系薄膜や結晶質シリコン系薄膜のｐｉｎ接合あるいはｐｎ接合上に透明電極層が形成されたシリコン系薄膜太陽電池、ＣＩＳ，ＣＩＧＳ等の化合物半導体太陽電池、色素増感太陽電池や有機薄膜（導電性ポリマー）等の有機薄膜太陽電池のような各種の太陽電池であってもよい。
【０１５７】
上記した実施形態では、平滑部位６２が桁行方向（縦方向）に線状に延びた領域である例を示したが、本発明はこれに限るものではない。
例えば、マスキングテープ６０を梁間方向（横方向）に延びるように貼り付け、梁間方向（横方向）に延びる領域である平滑部位を形成してもよい。また、桁行方向（縦方向）に延びる平滑部位と、梁間方向（横方向）に延びる平滑部位を混在させてもよく、いずれか一方のみを形成してもよい。
【０１５８】
上記した実施形態では、平面視した形状が四角形となる粗面化部位６１の縁端に平滑部位６２が位置する構成とした。換言すると、平面処理を施したカバーガラス２８の露出領域３４と化粧ガラス１６の軒側領域４４の上面を、平滑部位６２によって複数の四角形状の領域に区画した。しかしながら、本発明はこれに限るものでない。
粗面化部位６１は、平面視した形状が略四角形状となるものに限るものではなく、屋根材敷設領域に配置するスレート瓦３の露出部分の形状に合わせて、適宜その形状を変更してもよい。
【０１５９】
上記した実施形態では、化粧ガラス１６と背面ガラス１３の間に位置調整ガラス１５を配する例を示した。しかしながら、本発明はこれに限るものではない。
例えば、位置調整ガラス１５に替わって金属製の板状部材を配置してもよい。すなわち、化粧ガラス１６と背面ガラス１３の間に配する板状の部材は、ガラス製でなくてもよい。
【０１６０】
上記した実施形態では、サンドブラストを実行し、その後に、コーティング剤を塗布する表面処理を実行する例を示した。しかしながら、本発明はこれに限るものではない。
例えば、上記した表面処理に代わりに、カバーガラス２８や化粧ガラス１６の表面に微粒子入りの樹脂を塗布してもよい。すなわち、サンドブラストを実行せず、微粒子入りの樹脂を塗布することでガラス表面に凹凸を形成し、表面における色や質感（表面粗さ）をスレート瓦３と非常に類似した状態としてもよい。
【０１６１】
上記した実施形態では、位置調整ガラス１５及び化粧ガラス１６の棟側端部の下方側であって、背面ガラス１３の棟側に空間８０を形成し、太陽電池モジュール４の棟側端部側の裏面に段差を形成する例を示した（図１８等参照）。しかしながら、本発明はこれに限るものではない。
【０１６２】
例えば、図２１で示されるように、裏面の軒側端部側に段差を形成しない太陽電池モジュール２０４であってもよい。この太陽電池モジュール２０４は、背面ガラス２１３（裏面封止板）の棟側端部と、その上側に位置する位置調整ガラス１５の棟側端部と、さらに上側に位置する化粧ガラス１６の棟側端部とで、桁行方向の位置が同一（略同一）の位置となっている。つまり、この太陽電池モジュール２０４では、背面ガラス２１３の表面（又は裏面）の棟側辺と、位置調整ガラス１５の表面（又は裏面）の棟側辺と、化粧ガラス１６の表面（又は裏面）の棟側辺とが重なった状態となっている。言い換えると、背面ガラス１３の表面側に、太陽電池部１４及びカバーガラス２８、位置調整ガラス１５の全部、化粧ガラス１６が存在する構造となっている。
【０１６３】
そして、このような太陽電池モジュール２０４を母屋部材２に固定する場合、太陽電池モジュール２０４と母屋部材２の間にスペーサ１５０を配した状態でこれらを一体に固定してもよい。
【０１６４】
しかしながら、上記したように、太陽電池モジュール１０４の背面ガラス１３の棟側に空間８０を形成し、空間８０に母屋部材２の一部を配する構成とすると（図１８等参照）、太陽電池モジュール４の表面の高さをより低く抑えることが可能であるので、好ましい。すなわち、上記した太陽電池モジュール１０４は、桁行方向で所定間隔を空けて並列する母屋部材２の間に端子ボックス５２を収め、且つ、空間８０に母屋部材２の一部を配する構成とすることで、太陽電池モジュール４をより低い位置に固定する構造としている。
【０１６５】
上記した実施形態では、上段側の太陽電池モジュール４ｂを下段側の太陽電池モジュール４ａに対してスレート瓦３の幅寸法Ｌ１（図２参照）だけ梁間方向にずれた位置に固定する例を示した。すなわち、上段側の太陽電池モジュール４ｂと下段側の太陽電池モジュール４ａの梁間方向におけるずれ幅を、スレート瓦３の幅寸法Ｌ１と同一とした例を示した。しかしながら、本発明はこれに限るものではない。例えば、ずれ幅を２枚分のスレート瓦３の幅寸法（Ｌ１×２）、又はスレート瓦の幅寸法の１／２としてもよい。これらは、太陽電池モジュール４を敷設する屋根の形状や面積、敷設する太陽電池モジュール４の数に応じて変更してよい。しかしながら、屋根全体の美観を向上させるという観点から、ずれ幅をスレート瓦３の幅寸法Ｌ１の１／２の整数倍とすることが好ましい。
【０１６６】
上記した実施形態では、背面ガラス１３の裏面側に端子ボックス５２を固定した状態で表面処理を実施する例を示したが、本発明はこれに限るものではない。当然のことながら、表面処理の実施後に端子ボックス５２を固定し、太陽電池モジュール４を形成してもよい。
【符号の説明】
【０１６７】
１  屋根構造
２  母屋部材（桟、外部部材）
３  スレート瓦（屋根材）
４，１０４，２０４  太陽電池モジュール
１３，１１３，２１３  背面ガラス（裏面封止板）
１５  位置調整ガラス（補助板）
１６  化粧ガラス（段差形成板）
２１  外側領域（余剰領域）
２４  締結要素挿通孔（貫通孔）
２８  カバーガラス（表面側透明板）
３１  太陽電池セル（太陽電池）
４０  締結要素挿通孔（貫通孔）
４９  ブッシング部材（緩衝材）
５２  端子ボックス（端子箱）
６１  粗面化部位
６２  平滑部位
【図１】
0006461947.tif 000002
【図２】
0006461947.tif 000003
【図３】
0006461947.tif 000004
【図４】
0006461947.tif 000005
【図５】
0006461947.tif 000006
【図６】
0006461947.tif 000007
【図７】
0006461947.tif 000008
【図８】
0006461947.tif 000009
【図９】
0006461947.tif 000010
【図１０】
0006461947.tif 000011
【図１１】
0006461947.tif 000012
【図１２】
0006461947.tif 000013
【図１３】
0006461947.tif 000014
【図１４】
0006461947.tif 000015
【図１５】
0006461947.tif 000016
【図１６】
0006461947.tif 000017
【図１７】
0006461947.tif 000018
【図１８】
0006461947.tif 000019
【図１９】
0006461947.tif 000020
【図２０】
0006461947.tif 000021
【図２１】
0006461947.tif 000022